(57)【要約】【課題】  液体を貯留する槽体の排水栓を、磁力によって安定的に開閉可能とする。【解決手段】  排水口の下部に取り付けるエルボ１１０の中央に、中空の支柱１１５を形成し、その内部に、レリースワイヤ３Ｔ、３Ｗで上下方向に駆動可能な駆動用磁石１４２を取り付ける。排水口を塞ぐ蓋体１３１には、その裏面側に磁石１３４を埋め込む。蓋体１３１には、円筒状のスライド部１３２を設け、端部に磁石１３５を取り付ける。駆動用磁石１４２を上側に移動させると、斥力によって蓋体１３１が開く。また、磁石１３５と駆動用磁石１４２との間の引力によって、蓋体１３１の飛び出しが防止される。  このように、蓋体１３１の裏面に磁石を埋め込み、液体の圧力がかかる蓋体表面の近くで磁力を作用させることによって、蓋体１３１の傾きによって生じるモーメントを抑制でき、安定して蓋体１３１を駆動させることができる。【選択図】  図２
2014152500.tif 000002
【特許請求の範囲】
【請求項１】
液体を貯留する槽体の排出口を塞ぐ排水栓を開閉する排水栓装置であって、
前記排水栓は、前記排出口を塞ぐ蓋体と、該蓋体から延伸した突出部とを有し、
前記突出部の動作方向を規制することによって前記排水栓の開閉動作方向を規制するガイド機構と、
前記蓋体、または前記突出部のうち前記ガイド機構よりも蓋体側に位置する部位に、取り付けられた第１の磁石または磁性体と、
前記第１磁石または磁性体に対して磁力を作用させて、前記排水栓を開閉させる開閉機構と、
前記開閉機構を前記液体の流路から隔離する隔壁とを備える
排水栓装置。
【請求項２】
請求項１記載の排水栓装置であって、
前記開閉機構は、前記第１の磁石に対して、該蓋体を開く方向に斥力をさせるとともに、該斥力の強度を変更することによって前記排水栓の開閉を可能とする機構である排水栓装置。
【請求項３】
請求項２記載の排水栓装置であって、
前記突出部には、第２の磁石または磁性体が取り付けられており、
前記開閉機構は、前記排水栓を開く際に、さらに該第２の磁石または磁性体に対して磁気的に引力を作用させる機構である排水栓装置。
【請求項４】
請求項１〜３いずれか記載の排水栓装置であって、
前記排出口に連通し、前記隔壁の一部を構成する配管継手を有し、
前記配管継手には、前記ガイド機構を構成するよう前記排水栓の開閉方向に中空の支柱が形成されており、
前記排水栓には、前記突出部として、前記蓋体とともに前記支柱の外周をスライドするスライド部が設けられており、
前記第１の磁石は、前記蓋体に取り付けられており、
前記開閉機構は、前記第１の磁石に斥力を作用させる駆動用磁石を、両者の距離を可変に前記支柱の中空部分で支持する機構である排水栓装置。
【請求項５】
請求項４記載の排水栓装置であって、
前記開閉機構は、ワイヤまたはリンクによって前記駆動用磁石を移動させる機構であり、
前記配管継手には、前記ワイヤまたはリンクを外力から保護する保護部が形成されている排水栓装置。
【発明の詳細な説明】
【技術分野】
【０００１】
本発明は、液体を貯留する槽体の排出口を塞ぐ排水栓を開閉する排水栓装置に関する。
【背景技術】
【０００２】
従来、浴槽などの排水口を機械的に開閉する排水栓装置が存在した。
図１は従来技術としての排水栓装置の断面図である。図１（ａ）は全体構造を示している。排水栓装置１は、浴槽１０の底板１１の排水栓１４を開閉するための装置である。開閉機構４を操作するための操作ボタン２は、槽体１２の上部のリム１３に設けられている。操作ボタン２を押し下げると、その動作がレリースワイヤ３で伝達され、排水栓装置１を機械的に開閉することができる。
図１（ｂ）は、排水口付近を拡大して示した。排水口を塞ぐ蓋体Ｖは、ツメＶ１を先端部Ｌ１にはめ込むことで支柱Ｌに取り付けられている。支柱Ｌは、排水口内部に固定されたスリーブＳに挿入されており、スリーブＳに対して相対的に上下動できるようになっている。レリースワイヤは、アウタチューブ３Ｔ内に駆動用のインナワイヤ３Ｗを貫通させた構造となっており、アウタチューブ３ＴはスリーブＳに固定されており、インナワイヤ３Ｗは支柱Ｌに取り付けられている。アウタチューブ３Ｔに対してインナワイヤ３Ｗを移動させると、その動きに連動して、支柱ＬがスリーブＳに対して上下し、蓋体Ｖを開閉する。
【０００３】
駆動機構の構造を簡素化するため、磁力によって開閉させる機構が提案されている。特許文献１は、排水栓の蓋体から下側に延びるロッドの下端に磁石を取付け、この磁石に斥力を及ぼす駆動用の磁石を外部から近づけることによって磁力で蓋体を開く技術を開示する。特許文献２は、同じくロッドの下端に磁石を取付け、この磁石に引力を及ぼす駆動用の磁石を用意し、この磁石を動かすことによって、連動して蓋体を動かす技術を開示する。特許文献３は、排水栓に取り付けられた磁石に対して、外部の磁石から斥力を及ぼして平常時には排水栓を斥力で開いた状態に保持しつつ、この外部の磁石の磁力に反する極性の磁力を電磁石で加えることによって斥力を弱め、蓋体を閉じさせる技術を開示する。
【先行技術文献】
【特許文献】
【０００４】
【特許文献１】特開平７−３１７１１８号公報
【特許文献２】特開２００１−２０３４０号公報
【特許文献３】特開２００８−６３８４０号公報
【発明の概要】
【発明が解決しようとする課題】
【０００５】
磁力によって開閉させる機構は、構造が簡素化される利点があるものの、磁力を利用するため、機械的に直接に連結された機構に比較して、蓋体を駆動させるために伝達可能な駆動力が低い。そのため、浴槽などのように比較的多量の水を貯留し、比較的大きな水圧がかかる排水栓に対しては、駆動力が不足することがあった。しかしながら、こうした課題を解決するために、駆動に用いる磁石の磁力を強くすれば、蓋体のわずかの傾きによって周辺の種々の部材に無理な力がかかり駆動が安定しないなどの弊害が生じることになる。
かかる課題は、排水栓に特有のものではなく、油、アルコールなど種々の液体を貯留する槽体からの排出口を塞ぐ排水栓を開閉するのに共通の課題であった。本発明は、かかる課題に鑑み、磁力を利用して排水栓を安定的に駆動可能とすることを目的とする。
【課題を解決するための手段】
【０００６】
本発明は、
液体を貯留する槽体の排出口を塞ぐ排水栓を開閉する排水栓装置であって、
前記排水栓は、前記排出口を塞ぐ蓋体と、該蓋体から延伸した突出部とを有し、
前記突出部の動作方向を規制することによって前記排水栓の開閉動作方向を規制するガイド機構と、
前記蓋体、または前記突出部のうち前記ガイド機構よりも蓋体側に位置する部位に、取り付けられた第１の磁石または磁性体と、
前記第１磁石または磁性体に対して磁力を作用させて、前記排水栓を開閉させる開閉機構と、
前記開閉機構を前記液体の流路から隔離する隔壁とを備える構成とすることができる。
水、油など種々の液体を貯留する槽体に利用可能であるが、一例として、湯水を貯留するための浴槽の排水栓に適用することが考えられる。本明細書では、「排水栓」という用語は、水に限らず種々の液体を排出する部分に用いられる栓という意味で用いる。
ガイド機構は、排出口に連通する配管部材と一体的に形成されるものであってもよいし、配管部材とは別部材であってもよい。
【０００７】
本発明によれば、蓋体、または突出部のうちガイド機構よりも蓋体側に位置する部位（以下、「蓋体等」と呼ぶこともある）、即ち、ガイド機構よりも槽体側に第１の磁石または磁性体を取り付け、これに磁力を作用させて排水栓を開閉させることができる。槽体に貯留した液体の圧力は、蓋体にかかっていることを考えると、本発明の構造によれば、圧力がかかっている蓋体に近い部位で開閉作動の駆動力を加えることができることになる。本発明では、このように圧力がかかっている部位に近い箇所で駆動力を加える結果、蓋体の姿勢が傾いた場合でも、その周辺の部材にかかる荷重を抑制することができ、排水栓の開閉動作を安定させることができる。また、このように開閉動作が安定するため、磁石を利用しつつも、貯留した液体の圧力に対して十分駆動可能な大きさの磁力を加えることが可能となる。
【０００８】
本発明においては、開閉機構は、第１の磁石または磁性体に磁力を作用させるものである。蓋体等に第１の磁石が用いられている場合には、開閉機構には磁石または磁性体を用いることができ、蓋体等に磁性体が用いられている場合には、開閉機構には磁石を用いることになる。ここで磁石としては、永久磁石、電磁石を用いることができ、永久磁石を利用する場合には、例えば、磁力が強いネオジム磁石を用いることが好ましい。
磁力によって排水栓を開閉させる方法としては、第１の磁石または磁性体に作用する磁力の強さを調整可能とすればよい。例えば、第１の磁石または磁性体と、開閉機構に取り付けた磁石または磁性体との相対的な距離または角度を可変とする方法、開閉機構の磁石または磁性体の極性を変化させる方法、開閉機構に磁石を用いている場合には、その磁力を可変とする方法などをとることができる。
本発明では、このように磁力を利用して排水栓を開閉するため、機械的に連結した機構によって排水栓を開閉させる装置に比較して排水栓周囲の構造を簡素化できる利点もある。さらに、本発明では、開閉機構は、液体の流路から隔離されているため、開閉機構自体が、液体によって汚損等することを回避できる。
本発明を浴槽に適用した場合、近年では、浴槽設置面〜浴槽底面の距離が小さいという低床仕様が求められるが、従来例では封水部分への開閉機構の水没を避けるということが低床化を制限する条件となることもあった。本発明によれば、低床化を実現することが可能となる。
【０００９】
本発明においては、
前記第１の磁石が、前記蓋体に取り付けられており、
前記開閉機構は、前記第１の磁石に対して、該蓋体を開く方向に斥力をさせるとともに、該斥力の強度を変更することによって前記排水栓の開閉を可能とする機構であるものとしてもよい。
例えば、開閉機構に取り付けた磁石を移動可能とし、第１の磁石との距離または角度を変える機構、開閉機構に取り付けた磁石を回転可能とし第１の磁石に対向する極の極性を可変とする機構、開閉機構に電磁石を利用し、電流を可変とする機構などが考えられる。
斥力を利用する場合、蓋体の裏面側、即ち圧力がかかっている反対側から駆動力を加える形とすることができ、比較的簡素な構造となる利点がある。
【００１０】
また、斥力を用いる態様においては、
前記突出部には、第２の磁石または磁性体が取り付けられており、
前記開閉機構は、前記排水栓を開く際に、さらに該第２の磁石または磁性体に対して磁気的に引力を作用させる機構であるものとしてもよい。
斥力を利用する機構では、蓋体にかかる液体からの圧力が低下した場合、開閉機構からの斥力によって蓋体が飛び出してしまう現象が生じ得るが、上述の態様によれば、突出部に取り付けられた第２の磁石等に対して、磁気的に引力を作用させることができるため、蓋体の飛び出しを抑制することができる。
第２の磁石等の取り付け部位は、突出部であればガイド機構との位置関係は問わない。ただし、蓋体の十分な可動範囲を確保するという観点からは、蓋体に突出部が取り付けられている取り付け部分に近いよりは、逆の端部付近に設ける方が好ましい。
開閉機構において、第２の磁石または磁性体に対して磁力を作用させるための機構は、蓋体の駆動用の機構とは別に設けることもできるが、駆動用の機構と共通とすることが好ましい。例えば、開閉機構において、蓋体に斥力を作用させる駆動用の磁石が取り付けられている場合には、突出部には、この駆動用の磁石との間で引力が作用する極性で第２の磁石を取り付ける態様、または突出部に磁性体を取り付ける態様をとることができる。
【００１１】
本発明においては、より具体的な構造例として、
前記排出口に連通し、前記隔壁の一部を構成する配管継手を有し、
前記配管継手には、前記ガイド機構を構成するよう前記排水栓の開閉方向に中空の支柱が形成されており、
前記排水栓には、前記突出部として、前記蓋体とともに前記支柱の外周をスライドするスライド部が設けられており、
前記第１の磁石は、前記蓋体に取り付けられており、
前記開閉機構は、前記第１の磁石に斥力を作用させる駆動用磁石を、両者の距離を可変に前記支柱の中空部分で支持する機構としてもよい。
こうすることによって、排出口に連通する部材である配管継手を隔壁として利用しつつ、そこに設けられた中空の支柱をガイド機構とすることができ、簡素化した構成を実現することができる。かかる構造において、開閉機構内で駆動用磁石を蓋体に接近させれば、第１の磁石に作用する斥力が強くなるため、排水栓を開くことができる。逆に、駆動用磁石を蓋体から遠ざければ斥力が弱くなるため、排水栓を閉じることができる。
配管継手としては、直線的なもの、屈曲したもの、分岐を有するものなど種々の物を利用可能であるが、一例としてエルボを用いてもよい。エルボを用いる場合には、屈曲している部分を利用して、支柱を形成・支持しやすく簡易な形状とすることができる利点がある。
【００１２】
配管継手を利用した構造を用いる場合、
前記開閉機構は、ワイヤまたはリンクによって前記駆動用磁石を移動させる機構であり、
前記配管継手には、前記ワイヤまたはリンクを外力から保護する保護部が形成されているものとしてもよい。
こうすることによって、外力からの影響によってワイヤまたはリンクが押さえつけられたり、変形したりすることを抑制し、駆動用磁石を安定して駆動することができる。
【００１３】
本発明において、上述の種々の特徴は、必ずしも全てを備えている必要はない。その一部を省略等したり、適宜、組合せたりして構成することも可能である。
【図面の簡単な説明】
【００１４】
【図１】従来技術としての排水栓装置の断面図である。
【図２】排水栓装置の構造を示す説明図である。
【図３】排水栓の開閉動作を示す説明図である。
【図４】開閉機構の効果を示す説明図である。
【図５】変形例としての排水栓装置の構造を示す説明図である。
【発明を実施するための形態】
【実施例１】
【００１５】
本発明の排水栓装置につき、浴槽の排水口に取り付ける排水栓装置として構成した場合の実施例を以下に示す。排水栓装置は、浴槽の底板１１（図１参照）の底面にある排水口を開閉するための装置である。図１に示したのと同様、浴槽のリム１３などに設けた操作ボタン２を押すと、その操作力がレリースワイヤを介して伝達され、排水栓を開閉することができる。
図２は、排水栓装置の構造を示す説明図である。図２（ａ）には断面図を示した。底板１１に設けられた排水口の下部には、エルボ１１０が連通している。図２（ｂ）はエルボの斜視図である。エルボ１１０は、円筒状の本体１１４に排水管との連結部１１３が接続されており、その中央には中空円筒状の支柱１１５が形成されている。本体１１４の上部には水平方向に広がるフランジ部１１１が形成されており、本体１１４の上部内面にはネジ溝１１２が形成されている。
図２（ａ）に示すように、排水口には、上側から排水口部材１２０が取り付けられる。排水口部材１２０は円筒状の本体１２２と、上部のフランジ部１２１から成り、本体１２２の外周には、エルボ１１０のネジ溝１１２に適合するネジ溝１２３が形成されている。排水口を下側からエルボ１１０、上側から排水口部材１２０で挟み込むようにして、ネジ溝１１２、１２３を締め付けることによって、これらの部材を固定することができる。排水口とエルボ１１０および排水口部材１２０との間には、それぞれシール１２５、１２６が施されている。
【００１６】
排水栓１３０は、蓋体１３１と、その下側に延伸する円筒状のスライド部１３２を有している。蓋体１３１とスライド部１３２とは、一体成形してもよいし、別部材を接合等してもよい。
蓋体１３１は、排水口部材１２０を上側から覆い得る外径で上側に凸の円盤状部材である。以下、蓋体１３１について、浴槽に貯留された水圧がかかる側の面を表面、逆の面を裏面と呼ぶこともある。蓋体１３１の裏面側には、磁石１３４が組み込まれている。磁石１３４は、蓋体１３１の裏面側に形成された空隙に組み込まれ、キャップ１３３で脱落しないように保持されている。磁石１３４の極性は、上側がＮ極、下側がＳ極となっているが、逆でもよい。蓋体１３１には、排水口を密閉するためのシール１３６が取り付けられている。
スライド部１３２は、円筒状とする他、円周方向に分割して配置された複数枚の板状部材の集まりとしてもよい。スライド部１３２は、エルボ１１０に形成された支柱１１５にはまり、排水栓１３０の開閉時にその周囲を上下にスライドする。従って、スライド部１３２の内径は、支柱１１５の外径より若干大きい程度に設定されている。このようにスライド部１３２および支柱１１５は、排水栓１３０の上下動の方向を規制する機能を奏する。スライド部１３２の端部付近には、磁石１３５が取り付けられている。磁石１３５の極性は、磁石１３４に合わせてあり、この例では、上側がＮ極、下側がＳ極となっている。
【００１７】
エルボ１１０の支柱１１５は、中空となっている。支柱１１５の中央付近には、中央に孔を有するシェルフ１１６が形成されている。支柱１１５の頂部と、シェルフ１１６で形成される空隙１１７には、蓋体１３１の磁石１３４などに作用して、排水栓１３０を開閉するための開閉機構１４０の一部が組み込まれている。
【００１８】
開閉機構１４０は、駆動用磁石１４２と、これを支持するホルダ１４１を有している。ホルダ１４１は、磁石１４２の外周全体を覆う形状としているが、駆動用磁石１４２の位置を変え得るように支持できるものであればよく、例えば、駆動用磁石１４２の底面に接着等される板状の部材であってもよい。駆動用磁石１３２は、蓋体１３０の磁石１３４と逆向きの極性、即ちこの例では、上側がＳ極、下側がＮ極となっている。
ホルダ１４１の底部には、レリースワイヤ３のインナワイヤ３Ｗが取り付けられている。レリースワイヤ３のアウタチューブ３Ｔは、固定部材１４３によってシェルフ１１６に固定されている。操作ボタン２（図１参照）を押すと、アウタチューブ３Ｔに対して相対的にインナワイヤ３Ｗが動くため、これに合わせてホルダ１４１、ひいては磁石１４２が空隙１１７内で上下動することになる。エルボ１１０の下部には、レリースワイヤ３を通すためのパイプ状のワイヤ通路１１８が設けられている。ワイヤ通路１１８にレリースワイヤ３を通すことにより、レリースワイヤに無理な外力がかかることを回避でき、開閉機構１４０の動作を安定させることができる。
本実施例では、各磁石１３４、１３５、１４２は、磁力が強力なネオジム磁石を用いるものとした。他の永久磁石を用い、また部位によっては電磁石を利用することもできる。
【００１９】
本実施例では、開閉機構１４０は、エルボ１１０の中空部分に組み込まれるため、槽体に貯留される液体の排出経路からは隔離されることになる。従って、開閉機構１４０がこうした液体によって汚損等されることを防止できる。また、外見的には、排水栓１３０と開閉機構１４０とを機械的に連結などする必要なく、支柱１１５の上部に排水栓１３０を乗せた状態となっており、非常に簡素な構造を実現することができる。
【００２０】
図３は、排水栓の開閉動作を示す説明図である。図３（ａ）には、開閉機構の駆動用磁石１４２が最下端にある状態を示した。この状態では、蓋体１３０のスライド部１３２に取り付けられた磁石１３５との間で、引力Ｆ１が作用している。これによって、蓋体１３０を閉位置に保持する作用も奏している。
図３（ｂ）は、開閉機構を操作して、駆動用磁石１４２を上側に動かしている状態を示している。排水栓の蓋体１３０には貯留している液体の圧力がかかっているため、駆動用磁石１４２と、スライド部１３２の磁石１３５との間の引力Ｆ１のみでは、蓋体１３０を開閉機構に連動して動かすには不十分であり、磁石１３５の位置は、駆動用磁石１４２よりも相対的に下側に下がる。しかし、駆動用磁石１４２が蓋体１３０に取り付けられた磁石１３４に近づくため、両者の間に斥力Ｆ２が作用し、蓋体１３０は、この斥力Ｆ２によって開かれる。
図３（ｃ）は、駆動用磁石１４２を上端まで動かした状態を示している。この状態では、駆動用磁石１４２と蓋体１３０の磁石１３４との間に十分な斥力Ｆ２が作用し、これによって蓋体１３０は開かれる。一方、蓋体１３０に斥力Ｆ２が作用すると、蓋体１３０は図の上方に飛びだそうとするが、スライド部１３２に取り付けられた磁石１３５と、駆動用磁石１４２との間には、引力Ｆ１が作用するため、蓋体１３０の飛び出しを抑制することができる。
逆に、開閉機構を下げていけば、以上で説明した逆の状態を経て、蓋体１３０は閉じた状態（図３（ａ）の状態）となる。
このように実施例の開閉機構によれば、駆動用磁石１４２の上下動に応じて、磁力の作用により、蓋体１３０を開閉することが可能となる。
【００２１】
図４は、開閉機構の効果を示す説明図である。効果を説明するため、蓋体等の形状・構造は、模式的に示した。
図４（ａ）は、比較例として従来技術における磁力の作用を示した。従来技術では、蓋体の下側から延伸した支柱の下端に磁石を設け、ここに磁力ＦＡ１を作用させていた。排水口の内部にはガイド機構が設けられており、ガイド機構によって、支柱を支えることで、蓋体の上下動の方向を規制していた。かかる構造において、蓋体がわずかに角度θだけ傾いた場合を考える。このとき、排水栓には、磁力ＦＡ１と、蓋体に作用する圧力ＦＡ２とによって、大きなモーメントＭＡが発生する。そして、ガイド機構から排水栓に対しては、このモーメントを打ち消すための支持力ＦＡ３が作用し、これによる摩擦力も大きくなる。従って、従来技術では、蓋体のわずかな傾きによって、ガイド機構に大きな荷重がかかり、摩擦力により排水栓の操作力を大きくさせることがあった。こうした傾向は、圧力ＦＡ２が大きいほどより顕著に表れる。
これに対し、図４（ｂ）は、実施例における磁力の作用を示している。実施例では、蓋体１３１に埋め込まれた磁石１３４に磁力ＦＢ１が作用する。従って、角度θだけ蓋体１３１が傾いたとしても、磁力ＦＢ１と、液体による圧力ＦＢ２との間の距離が小さくなり、発生するモーメントＭＢは比較的小さい。排水栓のスライド部１３２には、このモーメントＭＢを打ち消す支持力ＦＢ３が発生するが、この大きさも比較的小さくなり、支持力ＦＢ３に伴う摩擦力が小さくなるため、磁力ＦＢ１をロスが少なく伝達することができるため、圧力ＦＢ２が大きい場合でも作動可能な排水栓装置を実現することができる。従って、浴槽のように水深が深くて栓の径が大きい場合でも円滑に動作可能となる。
【００２２】
以上で説明した通り、本実施例の排水栓装置によれば、磁力を利用しつつ、安定的な開閉動作を実現することができる。また、蓋体にかかる圧力が比較的大きい場合でも、安定して開閉可能とすることができる。
以上、本発明の種々の実施例について説明した。以上の実施例で説明した種々の特徴は、必ずしも全てを備えている必要はなく、一部を省略したり、適宜、組み合わせて用いたりしてもよい。
また、本発明は、上述の実施例に限らず、種々の変形例をとることができる。
例えば、実施例では、円形の排水口に適用する例を示したが、本発明の排出口装置は、非円形の排水口に適用することもできる。また、排水口以外にも、油など種々の液体を貯留する槽体に適用可能である。
実施例では、斥力を利用して排水栓を開閉する機構を示したが、磁気的な引力を利用した駆動する機構としてもよい。この場合は、蓋体または開閉機構に設ける磁石の一方を、磁性体とすることもできる。
【００２３】
実施例では、エルボ１１０に支柱１１５を形成する例を示したが、エルボ以外の配管継手を利用することもできる。
図５は変形例としての排水栓装置の構造を示す説明図である。エルボ１１０に代えて、直線状の配管継手１１０Ａを用いた。蓋体、スライド部および開閉機構に、磁石１３４、１３５、１４２が組み込まれ、磁石１３５と磁石１４２との間には引力Ｆ１が作用している点は実施例と同様である。
変形例では、配管継手１１０Ａの側壁から９０度屈曲した状態で支柱１１５Ａが支持されている。支柱１１５Ａを配管継手１１０Ａ内に支持する部分は、レリースワイヤを通すためのパイプ状のワイヤ通路１１８Ａとしても機能する。変形例と同様、支柱１１５Ａに相当する部分を側壁等から支持するものとすれば、配管継手としては、変形例のように直線的なもののみならず、分岐を有するものなど、多様な物を利用可能である。
【産業上の利用可能性】
【００２４】
本発明は、液体を貯留する槽体の排出口を塞ぐ排水栓を開閉する排水栓装置の開閉機構に適用することができる。
【符号の説明】
【００２５】
１…排水栓装置
２…操作ボタン
３…レリースワイヤ
３Ｔ…アウタチューブ
３Ｗ…インナワイヤ
４…開閉機構
１０…浴槽
１１…底板
１２…槽体
１３…リム
１４…排水栓
１１０…エルボ
１１１…フランジ部
１１２…ネジ溝
１１３…連結部
１１４…本体
１１５…支柱
１１６…シェルフ
１１７…空隙
１１８…ワイヤ通路
１２０…排水口部材
１２１…フランジ部
１２２…本体
１２３…ネジ溝
１２５、１２６…シール
１３０…排水栓
１３１…蓋体
１３２…スライド部
１３３…キャップ
１３４、１３５…磁石
１３６…シール
１４０…開閉機構
１４１…ホルダ
１４２…磁石
１４３…固定部材
【図１】
2014152500.tif 000003
【図２】
2014152500.tif 000004
【図３】
2014152500.tif 000005
【図４】
2014152500.tif 000006
【図５】
2014152500.tif 000007